(57)【要約】【課題】既存の側溝にはほとんど手を加えることなく容易に施工することができる、小動物の通路を形成することができる小動物用通路付ブロックおよびこのブロックを配置した側溝を提供する。【解決手段】左右の側板、天板４、底板５および背板で囲われ、正面が開放された箱状に形成され、天板４の中央部には正面が開放された開口７が設けられ、底板５には一方の側板との間に正面が開放された開口８が設けられ、天板４に設けられた開口７の一方の縁から底板５に設けられた開口８の縁に亘って傾斜板９ａ，９ｂが設けられ、傾斜板９ａ，９ｂの底板側の端部には、底板５に設けられた開口８に連通する連通用切り欠き１０が形成されている小動物用通路付ブロック。【選択図】図１
2010071014.tif 000002
【特許請求の範囲】
【請求項１】
小動物が侵入して上り下りできる通路が積み重ねにより形成される小動物用通路付ブロックにおいて、
左右の側板、天板、底板および背板で囲われ、正面が開放された箱状に形成され、
天板の中央部には正面が開放された開口が設けられ、底板には一方の側板との間に正面が開放された開口が設けられ、
天板に設けられた前記開口の一方の縁から底板に設けられた前記開口の縁に亘って傾斜板が設けられ、
傾斜板の底板側の端部には、底板に設けられた前記開口に連通する連通用切り欠きが形成されていることを特徴とする小動物用通路付ブロック。
【請求項２】
傾斜板の上面が段状または粗面状であることを特徴とする請求項１記載の小動物用通路付ブロック。
【請求項３】
請求項１または２記載の小動物用通路付ブロックが側溝の側壁の外側に接して積み重ねられるとともに、積み重ねられた上下の小動物用通路付ブロックの傾斜板がその傾斜方向を交互に逆方向にして上下方向にジグザグに配置されていることを特徴とする側溝。
【発明の詳細な説明】
【技術分野】
【０００１】
本発明は、小動物が侵入して上り下りできる通路を積み重ねにより形成することができる小動物用通路付ブロックおよびこのブロックを配置した側溝に関するものである。
【背景技術】
【０００２】
ネズミ、蛇などの小動物が水を求めて水路に来た際に誤って水路内に落ちてしまった場合、Ｕ字型側溝ブロックでは垂直な側壁で引っ掛かりがないため、這い上がりにくく、脱出できないとそのまま死に至っていた。そこで、小動物が水路内から脱出できる構造にした側溝ブロックが提案されている。例えば、Ｕ字溝型側溝ブロック内に小動物が上ることができる傾斜部を設けたものが提案されている（特許文献１、２参照）。
【０００３】
図４は従来の斜面部を形成した側溝の斜視図である。
【０００４】
図４において、従来のＵ字溝型側溝ブロックは、Ｕ字溝型側溝ブロック１１の水路側の側壁１２に沿って上下方向に傾斜した斜面部１４を形成し、斜面部を多段状または粗粒状とした構造となっている。
【特許文献１】特開平９−２５０１２１号公報
【特許文献２】特開平１０−１３１２７２号公報
【発明の開示】
【発明が解決しようとする課題】
【０００５】
前記の従来のブロックでは、水路となる内側に斜面部を形成するので、水の流れに対して抵抗となり水の流れが不規則になったり、増水により水があふれたり、斜面部にゴミなどが引っ掛かりして集積して水辺が汚れたりする場合がある。
【０００６】
また、側溝ブロック自体に傾斜部を形成するので側溝ブロックの重量が増加するため、側溝ブロックの運搬や施工に手間がかかる。
【０００７】
また、既存の側溝に設置する場合には、水を堰き止め、埋め込まれている側溝ブロックを掘り起こして取り除き、その後に斜面部を形成した側溝ブロックを嵌め込む必要があるため、施工に手間がかかる。
【０００８】
そこで、本発明は、既存の側溝にはほとんど手を加えることなく容易に施工することができる、小動物の通路を形成することができる小動物用通路付ブロックおよびこのブロックを配置した側溝を提供するものである。
【課題を解決するための手段】
【０００９】
本発明の小動物用通路付ブロックは、左右の側板、天板、底板および背板で囲われ、正面が開放された箱状に形成され、天板の中央部には正面が開放された開口が設けられ、底板には一方の側板との間に正面が開放された開口が設けられ、天板に設けられた前記開口の一方の縁から底板に設けられた前記開口の縁に亘って傾斜板が設けられ、傾斜板の底板側の端部には、底板に設けられた前記開口に連通する連通用切り欠きが形成されていることを特徴とする。傾斜板の上面が段状または粗面状にする。
【００１０】
また、本発明の側溝は、前記小動物用通路付ブロックが側溝の側壁の外側に接して積み重ねられるとともに、積み重ねられた上下の小動物用通路付ブロックの傾斜板がその傾斜方向を交互に逆方向にして上下方向にジグザグに配置されていることを特徴とする。
【発明の効果】
【００１１】
本発明の小動物用通路付ブロックは、側溝と別体に形成されているので既設の側溝ブロックを取り除くことなく、側溝ブロックの外側に積み重ねることにより、小動物用通路を容易に形成することができる。
【００１２】
また、本発明の小動物用通路付ブロックは、分割により小型軽量に形成されているので、分割されているブロックを側溝の高さに応じて容易に積み重ねることができ、施工に手間がかからない。
【００１３】
また、本発明の小動物用通路付ブロックは、ブロック内に空間が形成されているので、この空間が小魚などの水生生物の隠れ場や棲家になるので、水路周りの環境を自然豊かなものにすることができる。
【００１４】
また、本発明のブロックは、側溝の外側に積み重ねて設けるので、側溝を流れる水を乱すことがなく、またゴミが引っ掛かって集積するおそれもない。
【発明を実施するための最良の形態】
【００１５】
本発明の実施例を、図面を参照して説明する。
【実施例１】
【００１６】
図１（ａ）は本発明の小動物用通路付ブロックの斜視図、（ｂ）は（ａ）と傾斜面が逆方向に形成されたブロックの斜視図である。
【００１７】
図１において、小動物用通路付ブロック１は、左右の側板２，３、天板４、底板５および背板６で囲われ、正面が開放された箱状に形成されている。
【００１８】
天板４の中央部には正面側が開放された開口７が設けられている。また、底板５には一方の側板（図１（ａ）では左側の側板２、（ｂ）では右側の側板３）との間に正面側が開放された開口８が設けられている。
【００１９】
天板４に設けられた開口７の一方の縁から底板５に設けられた開口８の縁に亘って傾斜板９が設けられている。傾斜板９の傾斜方向は、ブロック１の積み重ねにより傾斜板９が上下方向にジグザグの配置となるように、図１（ａ）と（ｂ）に示すように、反対方向に傾斜させる。傾斜板９、開口７，８の幅はブロック１の幅と同じである。傾斜板９の底板５側の端部には、ブロック１を積み重ねた際に上下の傾斜板９で通路が塞がれないように連通させるため、連通用切り欠き１０が形成されている。傾斜板７の上面は、動物が滑らないで上り下りし易いように段状または粗面状にする。
【００２０】
図２は本発明のブロックを積み重ねた状態を示し、ブロックを４段に積み重ねた例を示す斜視図である。
【００２１】
本発明のブロックは、側溝の高さに合わせて小動物が上り下りし易いようにするため、傾斜板７をジグザグにして緩斜面となるように、積み重ねた上下のブロックは、その傾斜板７の傾斜方向が逆になるように交互に積み重ねる。積み重ねる段数は、側溝の側壁の高さにより決まり、図２では、第１段目のブロック１ａの上に第２段目のブロック１ｂ、第３段目のブロック１ｃ、第４段目のブロック１ｄが積み重ねられている。ブロックを重ねると、例えば、第１段目のブロック１ａに第２段目のブロック１ｂを重ねると、ブロック１ａの傾斜板９ａおよび天板４の開口７と、重ねられた上のブロック１ｂの底板５の開口８、傾斜板９ｂの連通用切り欠き１０および傾斜板９ｂにより連続して連通した小動物用通路が形成される。こうして積み重ねたブロック１ａ〜１ｄ内に傾斜板、開口および連通用切り欠きによりブロック１ｄの天板からブロック１ａの底板まで連続したジグザグの通路が形成される。
【００２２】
本発明の小動物用通路付ブロックを配置した側溝について説明する。
【００２３】
図３（ａ）は本発明のブロックをＵ字型側溝ブロックの外側に配置した側溝を一部切り欠いて示した斜視図、（ｂ）は縦断面図である。
【００２４】
側溝１１の側壁１２の外側に接して、側壁１２の高さに合わせてブロック１ａ〜１ｃを３段積み重ねる。ブロック１ａ〜１ｃは側壁にモルタルなどで目地を塞ぐ。側壁１２の下部には、第１段目のブロック１ａに通じ、ブロック内に水が流入する取水孔１３が貫通している。取水孔１３に流入した水は、ブロック１ａ〜１ｃ内が通路で連通しているので側溝１１の水位に応じて同水位で満たされる。
【００２５】
最上段のブロック１ｃの天板４の開口７から侵入した小動物は、ジグザグに形成された傾斜板９を水のあるレベルまで下って水に近づくことが可能となる。
【図面の簡単な説明】
【００２６】
【図１】（ａ）は本発明の小動物用通路付ブロックの斜視図、（ｂ）は（ａ）と傾斜面が逆方向に形成されたブロックの斜視図である。
【図２】。本発明のブロックを積み重ねた状態を示す斜視図である。
【図３】（ａ）は本発明のブロックをＵ字型側溝ブロックの外側に配置した状態を示す一部を切り欠いた斜視図、（ｂ）は縦断面図である。
【図４】従来の傾斜部を形成した側溝の斜視図である。
【符号の説明】
【００２７】
１，１ａ〜１ｄ：ブロック
２：側板
３：側板
４：天板
５：底板
６：背板
７：開口
８：開口
９，９ａ，９ｂ：傾斜板
１０：連通用切り欠き
１１：側溝
１２：側壁
１３：取水孔
１４：斜面部
【図１】
2010071014.tif 000003
【図２】
2010071014.tif 000004
【図３】
2010071014.tif 000005
【図４】
2010071014.tif 000006